(57)【要約】【課題】洗浄を容易にすると共に洗浄により障害を発生させない構造を設けた細胞破砕装置を提供する。【解決手段】回転駆動される回転軸８に固定された傾斜軸体１１に相対回転自在に外嵌する環状体１５に取り付けられた環状保持体２０に被破砕物と破砕媒体３２とを収容した多数の破砕容器３０を保持させ、環状体１５の回転をゴム筒１７により拘束する。回転軸８を回転させると環状保持体２０は８の字状に往復振動して破砕容器３０内の被破砕物は破砕媒体３２により破砕される。前記ゴム筒１７により軸受１０等の可動部分は被覆されるので、ケーシング２９内の洗浄を行っても可動部分に洗浄水の侵入がなく、確実な洗浄が可能となる。【選択図】  図２
2004313966.tif 000002
【特許請求の範囲】
【請求項１】
回転駆動される回転軸に、その軸心に対して軸心の傾斜した傾斜軸部を設け、この傾斜軸部に相対回転自在に外嵌させた環状体に、被破砕物と破砕媒体とを収容した破砕容器を周方向に多数保持する環状保持体を取り付け、前記環状体とそれの近接位置にある固定支持体との間を被覆して弾性体を固着させてなることを特徴とする細胞破砕装置。
【請求項２】
回転駆動される回転軸に、その軸心に対して軸心の傾斜した傾斜軸部を設け、この傾斜軸部に相対回転自在に環状体を外嵌させると共に、この環状体の回転を拘束する回転拘束手段を設け、環状体に被破砕物と破砕媒体とを収容した破砕容器を周方向に多数保持する環状保持体を取り付け、前記環状体とそれの近接位置にある固定支持体との間を被覆して弾性体を固着させてなることを特徴とする細胞破砕装置。
【請求項３】
弾性体は、外形が円筒状に形成された環状体と、外形が円筒状に形成された固定支持体とに両端部を固着させた円筒状ゴム質材料で形成されてなる請求項１又は２に記載の細胞破砕装置。
【請求項４】
回転拘束手段は、磁気吸着又は磁気反発により環状体の回転を拘束する磁石とそれに対峙する対極磁石である請求項２に記載の細胞破砕装置。
【請求項５】
回転拘束手段は、環状体と固定支持体との間を接続して配設されたバネ材である請求項２に記載の細胞破砕装置。
【請求項６】
破砕処理を行う破砕機能部は、独立したケーシング内に収容され、所要部位に防水構造が設けられてなり、前記ケーシング内に開口部を被覆して防水構造を設けると共に、ケーシングの底面に排水構造が設けられてなる請求項１〜３いずれか一項に記載の細胞破砕装置。
【発明の詳細な説明】
【０００１】
【発明の属する技術分野】
本発明は、植物の組織や種子類、動物の組織、鉱物材料などの被破砕物を化学的に分析・分画分離するために、被破砕物と破砕媒体とを収容した破砕容器を多数保持した容器ホルダを破砕装置に装填し、破砕装置により振動を加えて被破砕物を破砕する細胞破砕装置に関するものである。
【０００２】
【従来の技術】
上記のような被破砕物を化学的に分析・分画するためには、被破砕物を均一に破砕する必要がある。被破砕物を破砕するために破砕装置が用いられ、被破砕物と破砕媒体とを収容した破砕容器に振動を加えることにより、被破砕物に破砕媒体が衝突することによる圧縮と回転による磨砕とによって被破砕物を破砕する。
【０００３】
このような破砕装置として、被破砕物と破砕媒体とを収容した破砕容器に８の字状の振動を加えて効率的且つ安定した被破砕物の破砕を行うことができる破砕装置を本願出願人は先に提案している（特許文献１参照）。また、破砕効率及び安定化を図るために、細長い破砕容器の軸心に沿った姿勢を維持して軸心方向に相対移動する形状、寸法の単一の破砕媒体を用いた破砕装置（特許文献２参照）や、被破砕物を冷却する手段を設けた破砕装置（特許文献３参照）などを本願出願人は提案している。
【０００４】
図１６は、上記破砕装置の構成を示すもので、回転軸８にその軸芯に対して軸芯が傾斜した傾斜軸体１１を設け、傾斜軸体１１に相対回転自在に環状体１５を外嵌させると共に、この環状体１５に取り付けられた磁石１６と、これに対極する固定磁石１８とにより環状体１５の回転を弾性的に拘束し、環状体１５に取り付けられた環状保持体２０の外周部に破砕媒体３２と被破砕物とを収容した細長い破砕容器３０を環状保持体２０の軸芯と平行な姿勢で保持できるように構成したものである。前記回転軸８を図外のモータにより回転駆動すると、破砕容器３０にはその軸芯方向の比較的長い行程の主往復移動とそれに直交する方向の比較的短い行程の副往復移動とが組み合わされた８の字状の往復振動が加わり、破砕媒体３２が相対回転しながら破砕容器３０の底部に衝突することにより、破砕容器３０が乳鉢、破砕媒体３２が乳棒にように作用して、被破砕物が植物組織や動物組織、あるいはプラスチック材料や鉱物材料であっても効率的に破砕することができる。
【０００５】
【特許文献１】
特開２０００−０２３６６０号公報（第３〜５頁、図１）
【０００６】
【特許文献２】
特開２００１−１７８４４４号公報（第３〜５頁、図２）
【０００７】
【特許文献３】
特開２０００−２０２３１４号公報（第３〜５頁、図２）
【０００８】
【発明が解決しようとする課題】
上記破砕装置は、被破砕物として病原体を含む動物組織や植物組織を破砕してＤＮＡ分析の用に供する目的などに広く使用されている。被破砕物は破砕容器３０内に収容されるので、誤って漏出させてしまうことがない限り飛散することはないが、破砕処理を行う前後の作業上において手や器具類に付着した被破砕物が破砕装置内に再び付着することがないとはいえない。破砕装置への異物の付着は、病原菌の拡散、微生物類の増殖やコンタミネーションの発生、あるいはバイオハザードの憂いもある。従って、破砕装置の破砕に供する部位、特に環状保持体及びそれに付属する容器ホルダは必要に応じて取り外し洗浄することが要求される。
【０００９】
洗浄はアルカリ洗浄又は蒸気洗浄などにより破砕装置の要部を収容したケーシング２９内を洗浄することになる、また、環状保持体は取り外してアルカリ洗浄又は蒸気洗浄することになる。しかし、軸受部１０，１４などに洗浄水が侵入すると、その後の機械的動作に障害が発生する恐れがあるので、洗浄水が可動部分に侵入しないようにする構造を設ける必要がある。
【００１０】
本発明は上記課題に鑑みて創案されたもので、洗浄を容易にすると同時に洗浄によって障害が発生することがない構造を設けた細胞破砕装置を提供することを目的とする。
【００１１】
【課題を解決するための手段】
上記目的を達成するための本願第１発明に係る細胞破砕装置は、回転駆動される回転軸に、その軸心に対して軸心の傾斜した傾斜軸部を設け、この傾斜軸部に相対回転自在に外嵌させた環状体に、被破砕物と破砕媒体とを収容した破砕容器を周方向に多数保持する環状保持体を取り付け、前記環状体とそれの近接位置にある固定支持体との間を被覆して弾性体を固着させてなることを特徴とする。
【００１２】
上記構成によれば、回転軸の回転に伴って傾斜軸体が回転したとき、これに相対回転自在に外嵌する環状体は傾斜軸体と共に回転しようとするが、環状体は固定支持体との間が弾性体により接続されているので、環状体の回転は拘束され、環状体は回転軸の回転に伴って８の字状に往復振動する。従って、環状体に取り付けられた環状保持体に保持された多数の破砕容器も往復振動を受け、収容した破砕媒体が被破砕物に衝突、圧縮して被破砕物が破砕される。前記弾性体は軸受等の可動部分を被覆するので、装置内を洗浄したときに可動部分に洗浄水が侵入することがなく、必要に応じて洗浄する作業が容易となる。
【００１３】
また、本願第２発明に係る細胞破砕装置は、回転駆動される回転軸に、その軸心に対して軸心の傾斜した傾斜軸部を設け、この傾斜軸部に相対回転自在に環状体を外嵌させると共に、この環状体の回転を拘束する回転拘束手段を設け、環状体に被破砕物と破砕媒体とを収容した破砕容器を周方向に多数保持する環状保持体を取り付け、前記環状体とそれの近接位置にある固定支持体とに、それらの間に存在する前記回転拘束手段を含む構成要素を被覆して弾性体を固着させてなることを特徴とする。
【００１４】
上記構成によれば、回転軸の回転に伴って傾斜軸体が回転したとき、これに相対回転自在に外嵌する環状体は傾斜軸体と共に回転しようとするが、環状体の回転は回転拘束手段によって拘束される結果、環状体は回転軸の回転に伴って８の字状に往復振動する。従って、環状体に取り付けられた環状保持体に保持された多数の破砕容器も往復振動を受け、収容した破砕媒体が被破砕物に衝突、圧縮して被破砕物が破砕される。また、弾性体は回転拘束手段を含む軸受等の可動部分を被覆するので、装置内を洗浄したときに可動部分に洗浄水が侵入することがなく、必要に応じて洗浄する作業が容易となる。
【００１５】
上記各構成において、弾性体は、外形が円筒状に形成された環状体と、外形が円筒状に形成された固定支持体とに両端部を固着させた円筒状ゴム質材料で形成することにより、環状体の回転を拘束する作用と、可動部分を被覆する作用とを兼ね備えたものが得られる。
【００１６】
また、第２発明の構成における回転拘束手段は、磁気吸着又は磁気反発により環状体の回転を拘束する磁石とそれに対峙する対極磁石として構成することにより、非接触の回転拘束を行うことができる。
【００１７】
また、回転拘束手段は、環状体と固定支持体との間を接続して配設されたバネ材として構成することができ、環状体の回転をバネ材により簡易に拘束することができる。
【００１８】
また、破砕処理を行う構成要素は、独立したケーシング内に収容され、所要部位に防水構造が設けられてなり、ケーシング内に開口部を被覆して防水構造を設けると共に、ケーシングの底面に排水構造を設けて構成することにより、ケーシング内を蒸気洗浄などによって洗浄することが可能となり、洗浄によってケーシング内に溜まった洗浄水は排水構造により外部に排出することができる。
【００１９】
【発明の実施の形態】
以下、添付図面を参照して本発明の実施の形態について説明し、本発明の理解に供する。尚、以下に示す実施の形態は本発明を具体化した一例であって、本発明の技術的範囲を限定するものではない。また、従来構成と共通する構成要素には同一の符号を付している。
【００２０】
図１は、実施形態に係る細胞破砕装置１の全体構成を示すもので、外装体２内に配置されたケーシング２９に防振コイル４を介して吊設されたベース板４０に、モータ５ａや減速機５ｂからなる駆動手段５が垂下状態に支持され、その出力軸が軸継手６を介してベース板４０上に配設された軸受部（固定支持体）７により鉛直な軸心回りに回転自在に支持された回転軸８に連結されている。詳細は後述するが、ケーシング２９内には回転軸８に接続して破砕機能部５０が配設されている。また、外装体２の上方に開口するケーシング２９の開口部は開閉可能に扉９によって閉じられている。また、外装体２内には制御装置４４や操作部４５が配設され、操作部４５の外部に配置された操作パネル４５ａから当該細胞破砕装置１の運転を操作することができる。
【００２１】
図２は、前記破砕機能部５０の第１の実施形態に係る構成を断面図として示すもので、回転軸８の上部には、その軸心に対して軸心が角度θに傾斜した状態で傾斜軸体１１が嵌合され、傾斜リング１２を介して回転軸８の上端部に螺合したナット１３にて押圧固定されている。傾斜軸体１１の外周には軸受１４を介して相対回転自在に環状体１５が装着されている。この環状体１５の外形は円形に形成され、下端側周面に形成された周溝１５ａに一端を嵌合させ、他端を軸受部７の周面に形成された周溝７ａに嵌合させてゴム筒（弾性体）２７が取り付けられている。このゴム筒２７は、傾斜軸体１１が回転した場合に、それに追従する環状体１５の回転を弾性拘束し、傾斜軸体１１の回転に伴って環状体１５が振れ運動を行うように構成されている。また、ゴム筒２７は、複数の襞を設けた蛇腹状に形成され、周面の位置で異なる伸縮状態に柔軟に対応できるように構成されている。
【００２２】
前記環状体１５には破砕容器３０を保持する環状保持体２０が着脱交換可能に取り付けられている。この環状保持体２０の円周上に形成された容器収容穴から容器ホルダ２２内に、被破砕物及び破砕媒体３２を収容した多数の破砕容器３０を挿入し、押圧板２３を破砕容器３０の蓋体３１上に配し、固定ノブ２５を環状保持体２０に設けられた取付ボス２４に螺入することにより、多数の破砕容器３０は環状保持体２０に固定される。
【００２３】
上記破砕容器３０は、図７に示すように、細長い円筒容器から成り、その開口部外周にねじ３０ａが形成され、開口部に蓋体３１を螺合して密閉できるように構成されている。破砕容器３０は、被破砕物の材質や量に応じて２ｍｌ〜５０ｍｌの容積のものが用いられ、環状保持体２０もこの破砕容器３０の大きさに応じた容器ホルダ２２が装着できるように構成される。
【００２４】
また、破砕容器３０内に被破砕物とともに収容される破砕媒体３２は、図８に示すように、破砕容器３０の内径Ｄより大きい長さＬの単一部材にて構成されたものが使用でき、その一端部に破砕容器３０の底部形状に対応して同様の載頭円球状の突出端部３２ａが形成されている。また、他端部は、蓋体３２の内周の環状シール部３１ａと干渉したり、嵌まり込むことがないように小径部３２ｂに形成されている。また、破砕媒体３２の外径ｄは、破砕容器３０の内径Ｄに対して２ｍｍ以下、内径ｄが小さい場合には１ｍｍ以下程度小さく設定されている。例えば、破砕容器３０の容量が２ｍｌの場合で、その内径Ｄは８ｍｍ、破砕媒体３２の外径ｄは７ｍｍに設定されている。また、図８（ｂ）（ｃ）に示すように、破砕媒体３２の突出端部３２ａには必要に応じて放射状又は螺旋状に１又は複数の溝３４が形成されたものを用いると、植物繊維などのように破砕され難い被破砕物を切断しながら破砕することができる。
【００２５】
環状保持体２０に被破砕物と破砕媒体３２とを収容した破砕容器３０を装着して細胞破砕装置１を運転させ、回転軸８を例えば１２００〜２８００ｒｐｍで高速回転させると、回転する傾斜軸体１１に相対回転自在に外嵌された環状体１５は傾斜軸体１１と共に回転しようとするが、ゴム筒２７によって共回転が拘束されているので、回転軸８が１回転する毎に環状体１５は軸心方向両側に振れ運動する。
【００２６】
このとき、環状体１５の任意の点は、図６（ａ）（ｂ）に示すように、８の字状に移動することになる。即ち、図６（ａ）に実線で示すように、環状体１５が紙面の上下方向に傾斜した状態を基準位置として、そのときの環状体１５の外周上におけるａ点位置の挙動を見てみると、実線位置から回転軸８が矢印方向に９０度回転すると、環状体１５は仮想線で示すように紙面の表裏方向に傾斜した状態に移行し、その間ａ点に対応していた位置は経路ｂを経てｃ点に移動する。回転軸８が更に９０度回転すると、環状体１５は図６（ｂ）に実線で示すように、紙面の上下方向で且つ逆向きに傾斜した状態に移行し、ａ点に対応していた位置はｃ点から経路ｄを経て元のａ点に戻る。更に回転軸８が９０度回転すると、環状体１５は仮想線で示すように紙面の表裏方向に逆向きに傾斜した状態に移行し、ａ点に対応していた位置は経路ｅを経てｆ点に移動し、更に回転軸８が元の回転位置まで９０度回転すると、ａ点に対応していた位置はｆ点から経路ｇを経て元のａ点に戻る。
【００２７】
従って、環状体１５に取り付けられた環状保持体２０に保持された破砕容器３０は、回転軸８の回転に伴って８の字状の振動形態により振動が加えられ、破砕容器３０内では被破砕物に破砕媒体３２が効果的に衝突し、その衝撃によって被破砕物は速やかに且つ均一に細胞破砕される。特に、図８に示した破砕容器３０の底部形状に対応する先端形状を備えた破砕媒体３２では、破砕容器３０の軸心にほぼ沿った姿勢を保持したまま相対回転しながら破砕容器３０の底部に衝突する動きを繰り返し、破砕容器３０が乳鉢、破砕媒体３２が乳棒のように作用するので、被破砕物が大型の植物細胞や動物組織などであっても効率的に破砕がなされる。
【００２８】
上記構成になる細胞破砕装置１は、環状体１５の上部開口部分は封止キャップ（防水構造）３３によって閉じられ、環状体１５と軸受部７との間はゴム筒１７によって被覆され、更にはケーシング２９の底面に回転軸８及び軸受部７を通すために形成された開口部は遮蔽ゴム（防水構造）２８によって閉じられているので、ケーシング２９の中に位置する軸受１４などの可動部分は全て被覆される。従って、ケーシング２９の内部は蒸気洗浄、薬品洗浄等によって洗浄することができる。破砕処理の繰り返しによってケーシング２９の内部が塵埃等によって汚れることは勿論のこと、被破砕物を飛散させてしまうこともあり得る。特に被破砕物が有害なものであったり、病原菌などを含むものであった場合には、ケーシング２９の内部を滅菌消毒して洗浄する必要がある。このときにも蒸気や薬品類が噴射されても、可動部分に侵入することはなく、完全に洗浄することができる。また、洗浄時にケーシング２９の内部に溜まった液体は、図１、図２に示すように、ケーシング２９の底面に設けられた排水栓（排水構造）３４を開くと、液体は排水ホース（排水構造）３５から外部に排出することができる。
【００２９】
また、ケーシング２９の内角部分や排水栓３４の表面形状、各構成要素の内角部分などは全てアール形成され、ゴム筒１７及び遮蔽ゴム２８の取り付け部分は、周溝７ａ，１５ａに嵌入させた後、コーキング材で隙間を埋めて表面を滑らかな状態に仕上げるので、窪み部分に塵埃や洗浄残滓が残ることがなく、それらから細菌や微生物が発生増殖することが防止できる。
【００３０】
次に、破砕機能部５０の第２の実施形態について説明する。上記第１の実施形態の構成においては、環状体１５の回転を拘束する手段としてゴム筒２７を用いているが、細胞破砕装置１の運転中はゴム筒２７には伸縮及び捻じれ方向に大きな力が加わる。これによるゴム筒２７のストレスを軽減させると共に、環状体１５の回転を拘束する拘束性を向上させるために、第２の実施形態の構成においては磁石による拘束を併用している。
【００３１】
図３に示すように、環状体１５の下面に磁石（回転拘束手段）３７が取り付けられ、これに対向する軸受部７の上面には対極磁石（回転拘束手段）３８が取り付けられている。磁石３７と対極磁石３８とは、異極が対向するようにして異極間吸引によって環状体１５の回転を拘束している。磁石３７と対極磁石３８との間の対向間隔距離は、環状体１５の振れ運動により変化するので、複数位置に磁石３７及び対極磁石３８を対向配置するのが好ましい。また、磁石３７及び対極磁石３８をリング状に形成して全周にわたって磁気拘束が作用するように構成することもできる。
【００３２】
上記構成により、磁気拘束によって環状体１５の回転は拘束されるので、ゴム筒１７は可動部分を被覆する用だけに使用することができる。また、ゴム筒２７は必然的に環状体１５の回転を拘束するので、磁気拘束に加えたゴム筒２７の拘束により拘束作用はより確実になされると同時に、ゴム筒２７に加わるストレスは軽減される。
【００３３】
環状体１５の回転を拘束する手段として、図４に示す第３の実施形態のように、バネ拘束を用いることもできる。図示するように環状体１５の下面と軸受部７の上面とに、それぞれバネ掛け４１を取り付け、その間に引張バネ３６を掛着している。この引張バネ３６とゴム筒２７とによる環状体１５の弾性拘束により、環状体１５の回転が拘束される。
【００３４】
上記環状体の回転を磁気拘束又はバネ拘束した構成においてもゴム筒２７によって軸受１０等の可動部分は被覆されるので、ケーシング２９内に配設された破砕機能部５０を簡単に洗浄することができる。また、各構成要素の角部分をアール形状に形成し、ゴム筒２７などの取り付け部分にコーキング材を充填して、窪み部分が形成されないようにして、塵埃や洗浄残滓の残留による細菌や微生物の発生を防止することは、第１の実施形態の構成と同様である。
【００３５】
次いで、本発明の第４の実施形態に係る構成について説明する。本実施形態は、環状体１５の回転を拘束する手段として従来技術において示した磁気拘束構造を用いた構成に、ゴム筒２７を配設して洗浄時の便を図ったものである。
【００３６】
図５において、回転軸８にその軸芯に対して軸芯が傾斜した状態に設けられた傾斜軸体１１に相対回転自在に環状体１５を外嵌させ、この環状体１５に取り付けられた磁石１６と、これに対極する固定磁石１８とにより環状体１５の回転を弾性的に拘束している。前記環状体１５の外周方向に形成された周溝１５ａにゴム筒２７の一端が嵌挿され、ゴム筒２７の他端が軸受７の外周方向に形成された周溝７ａに嵌挿されることにより、軸受１０，１４等の可動部分がゴム筒２７によって被覆されるように構成されている。
【００３７】
上記構成により、環状体１５に取り付けられた環状保持体２０の外周部に、破砕媒体３２と被破砕物とを収容した細長い破砕容器３０を環状保持体２０の軸芯と平行な姿勢で保持させて細胞破砕装置１を運転すると、環状体１５が回転軸８の回転に伴って回転しようとする力は磁気拘束により拘束され、環状保持体２０に保持された破砕容器３０には８の字状の往復振動が加わり、破砕媒体３２が破砕容器３０に回転衝突することにより被破砕物が破砕される。
【００３８】
また、可動部分がゴム筒２７によって被覆されているので、可動部分に洗浄水を侵入させることなく洗浄が可能である。また、各構成要素の角部分をアール形状に形成し、ゴム筒２７などの取り付け部分にコーキング材を充填して、窪み部分が形成されないようにして、塵埃や洗浄残滓の残留による細菌や微生物の発生を防止することは、第１の実施形態の構成と同様である。
【００３９】
以上説明した各実施形態の構成において、環状保持体２０は前述したように環状体１５に対して着脱可能に取り付けられており、サイズや形状が異なる破砕容器３０に対応できるように構成されている。例えば、図１５に示す環状保持体２０は、サイズが異なる２種類の破砕容器３０に対して同時に破砕処理が実施できるようにしたもので、環状保持体２０に大径穴５６と小径穴５７とが形成され、大径穴５６に大きいサイズの破砕容器３０を保持する容器ホルダ５４ａ、小径穴５７に小さいサイズの破砕容器３０を保持する容器ホルダ５５ａが取り付けられている。環状保持体２０は６ヶ所のネジ穴５１から環状体１５にネジ固定することにより環状体１５に固定され、使用する破砕容器３０に応じた環状保持体２０に交換することができる。
【００４０】
環状保持体２０及び押圧板２３は、開口部や容器ホルダ２２のような深い凹部があり、洗浄し難い構成要素であり、作業者が最も手を触れる部位であり、異物が付着しやすい部位なので、装置本体から取り外して洗浄し、ケーシング２９内を洗浄するときにも、環状保持体２０、押圧板２３、固定ノブ２５などは環状体１５から取り外し、蒸気洗浄やアルカリ洗浄などによって装置本体とは別に洗浄が実施される。
【００４１】
また、以上説明した細胞破砕装置１による被破砕物の破砕に用いる破砕容器３０及び破砕媒体３２は、先に図７、図８に示した構成以外に以下に示すような構成のものを用いることができる。
【００４２】
図９に示す破砕容器３０は、破砕容器３０の底部に円錐形の円錐部３３が形成されており、それに伴って破砕媒体３２の一端部に図１０（ａ）に示すように円錐状の突出端部３２ａが形成されている。また、その突出端部３２ａに図１０（ｂ）、（ｃ）に示すように、溝３４を形成することもできる。
【００４３】
また、図１１、図１２（ａ）〜（ｅ）に示すように、破砕容器３０の底部と蓋体３１の両方に載頭円錐部３３を形成し、破砕媒体３２の両端に同様の載頭円錐状の突出端部３２ａを形成し、必要に応じて突出端部３２ａや破砕媒体３２の全長にわたって１又は複数の放射状や螺旋状の溝３４を形成することもできる。
【００４４】
また、図１３、図１４（ａ）〜（ｅ）に示すように、破砕容器３０の底部と蓋３１の両方に半球部３５を形成し、破砕媒体３２の両端に同様の半球状の突出端部３２ａを形成し、必要に応じて突出端部３２ａや破砕媒体３２の全長にわたって１又は複数の放射状や螺旋状の溝３４を形成することもできる。
【００４５】
【発明の効果】
以上説明した通り本発明によれば、独立したケーシング内に配設された破砕機能部の可動部分は弾性体によって被覆されるので、破砕機能部に蒸気等を噴射して蒸気洗浄等を行っても可動部分に洗浄水が侵入せず、洗浄が容易になされて汚れや異物が除去され、有害物質の付着やコンタミネーションの発生、微生物類の増殖などを防止することができる。前記弾性体は回転に伴う往復振動を発生させる回転拘束手段としての作用を与えることができる。回転拘束は磁気拘束等の手段を用いることにより、弾性体により回転拘束する際に弾性体に加わるストレスを軽減させることができ、弾性体はその主目的を可動部分の被覆に使用することができる。
【図面の簡単な説明】
【図１】実施形態に係る細胞破砕装置の全体構成を示す側面図。
【図２】破砕機能部の第１の実施形態の構成を示す断面図。
【図３】破砕機能部の第２の実施形態の構成を示す断面図。
【図４】破砕機能部の第３の実施形態の構成を示す断面図。
【図５】破砕機能部の第４の実施形態の構成を示す断面図。
【図６】環状体の運動を説明する説明図。
【図７】破砕容器の構成を示す断面図。
【図８】同上破砕容器に対応する破砕媒体の構成を示す側面図。
【図９】破砕容器の構成を示す断面図。
【図１０】同上破砕容器に対応する破砕媒体の構成を示す側面図。
【図１１】破砕容器の構成を示す断面図。
【図１２】同上破砕容器に対応する破砕媒体の構成を示す側面図。
【図１３】破砕容器の構成を示す断面図。
【図１４】同上破砕容器に対応する破砕媒体の構成を示す側面図。
【図１５】環状保持体の変形例を示す平面図。
【図１６】従来技術に係る破砕装置の構成を示す断面図。
【符号の説明】
１  細胞破砕装置
８  回転軸
１０  軸受（固定支持体）
１１  傾斜軸体
１５  環状体
１６、３７  磁石（回転拘束手段）
１８、３８  対極磁石（回転拘束手段）
２０  環状保持体
２７  ゴム筒（弾性体）
２８  遮蔽ゴム（防水構造）
２９  ケーシング
３０  破砕容器
３１  蓋体
３２  破砕媒体
３３  封止キャップ（防水構造）
３４  排水栓（排水構造）
３５  ホース（排水構造）
３６  引張バネ（回転拘束手段）
５０  破砕機能部
【図１】
2004313966.tif 000003
【図２】
2004313966.tif 000004
【図３】
2004313966.tif 000005
【図４】
2004313966.tif 000006
【図５】
2004313966.tif 000007
【図６】
2004313966.tif 000008
【図７】
2004313966.tif 000009
【図８】
2004313966.tif 000010
【図９】
2004313966.tif 000011
【図１０】
2004313966.tif 000012
【図１１】
2004313966.tif 000013
【図１２】
2004313966.tif 000014
【図１３】
2004313966.tif 000015
【図１４】
2004313966.tif 000016
【図１５】
2004313966.tif 000017
【図１６】
2004313966.tif 000018